(57)【特許請求の範囲】
【請求項１】
撮影レンズの繰出し、及び繰込みを行う駆動部材と、
前記撮影レンズを保護する撮影レンズ保護部材と、
前記駆動部材の駆動力により前記撮影レンズ保護部材を開閉駆動する第１駆動手段と、
投影レンズを保護する投影レンズ保護部材と、
前記駆動部材の駆動力により前記投影レンズ保護部材を開閉駆動する第２駆動手段とを備え、
前記撮影レンズ保護部材が開き、前記投影レンズ保護部材が閉じた撮影状態と、
前記撮影レンズ保護部材と、前記投影レンズ保護部材とが共に閉じた収納状態と、
前記撮影レンズ保護部材が閉じ、前記投影レンズ保護部材が開いた投影状態とを有し、
前記撮影状態と前記収納状態との遷移状態において、前記駆動部材による前記撮影レンズの光軸方向の移動に連動して前記撮影レンズ保護部材が前記第１駆動手段により開閉され、
前記収納状態と前記投影状態との遷移状態において、前記駆動部材による前記撮影レンズの光軸方向の移動に連動して前記投影レンズ保護部材が前記第２駆動手段により開閉されることを特徴とするカメラ。
【請求項２】
撮影レンズの繰出し、及び繰込みを行う駆動部材と、
前記撮影レンズを保護する撮影レンズ保護部材と、
前記駆動部材の駆動力により前記撮影レンズ保護部材を開閉駆動する第１駆動手段と、
投影レンズを保護する投影レンズ保護部材と、
前記駆動部材の駆動力により前記投影レンズ保護部材を開閉駆動する第２駆動手段とを備え、
前記撮影レンズ保護部材と、前記投影レンズ保護部材とが共に閉じた収納状態と、
前記撮影レンズ保護部材が開き、前記投影レンズ保護部材が閉じた第１撮影状態と、
前記撮影レンズ保護部材と、前記投影レンズ保護部材とが共に開いた第２撮影状態とを有し、
前記収納状態と前記第１撮影状態との遷移状態において、前記駆動部材による前記撮影レンズの光軸方向の移動に連動して前記撮影レンズ保護部材が前記第１駆動手段により開閉され、
前記第１撮影状態と前記第２撮影状態との遷移状態において、前記駆動部材による前記撮影レンズの光軸方向の駆動に連動して前記投影レンズ保護部材が前記第２駆動手段により開閉されることを特徴とするカメラ。
【請求項３】
前記駆動部材は、前記撮影レンズを該撮影レンズの光軸方向に繰出し、及び繰込むための直進駆動部材を備え、
前記直進駆動部材の直進運動を用いて前記第１及び第２駆動手段を駆動することを特徴とする請求項１又は請求項２に記載のカメラ。
【請求項４】
前記駆動部材は、前記撮影レンズを該撮影レンズの光軸方向に繰出し、及び繰込むための回転駆動部材を備え、
前記回転駆動部材の回転運動を用いて前記第１及び第２駆動手段を駆動することを特徴とする請求項１又は請求項２に記載のカメラ。
【発明の詳細な説明】
【技術分野】
【０００１】
本発明は、撮影ユニットとプロジェクタモジュールとを備えたカメラに関するものである。
【背景技術】
【０００２】
従来、撮影ユニットとプロジェクタモジュールとを備えたカメラが存在する。このようなカメラにおいては、プロジェクタ機能を用いることにより、撮影画像を複数の人が一度に楽しむことができる（例えば、特許文献１参照）。
【特許文献１】特開２００５ー２５０３９２号公報
【発明の開示】
【発明が解決しようとする課題】
【０００３】
このようなカメラにおいては、小型化を図り携帯性に優れたものとすることが望まれるが撮影ユニットに備えられている撮影レンズの保護バリア機構とプロジェクタモジュールに備えられているプロジェクタレンズの保護バリア機構を全く別の機構として設ける場合には、装置の小型化を図ることが困難になる。
【０００４】
本発明の目的は、撮影レンズバリア機構及びプロジェクタレンズバリア機構の小型化を図ることである。
【課題を解決するための手段】
【０００５】
本発明のカメラは、撮影レンズの繰出し、及び繰込みを行う駆動部材と、前記撮影レンズを保護する撮影レンズ保護部材と、前記駆動部材の駆動力により前記撮影レンズ保護部材を開閉駆動する第１駆動手段と、投影レンズを保護する投影レンズ保護部材と、前記駆動部材の駆動力により前記投影レンズ保護部材を開閉駆動する第２駆動手段とを備え、前記撮影レンズ保護部材が開き、前記投影レンズ保護部材が閉じた撮影状態と、前記撮影レンズ保護部材と、前記投影レンズ保護部材とが共に閉じた収納状態と、前記撮影レンズ保護部材が閉じ、前記投影レンズ保護部材が開いた投影状態とを有し、前記撮影状態と前記収納状態との遷移状態において、前記駆動部材による前記撮影レンズの光軸方向の移動に連動して前記撮影レンズ保護部材が前記第１駆動手段により開閉され、前記収納状態と前記投影状態との遷移状態において、前記駆動部材による前記撮影レンズの光軸方向の移動に連動して前記投影レンズ保護部材が前記第２駆動手段により開閉されることを特徴とする。
また本発明のカメラは、撮影レンズの繰出し、及び繰込みを行う駆動部材と、前記撮影レンズを保護する撮影レンズ保護部材と、前記駆動部材の駆動力により前記撮影レンズ保護部材を開閉駆動する第１駆動手段と、投影レンズを保護する投影レンズ保護部材と、前記駆動部材の駆動力により前記投影レンズ保護部材を開閉駆動する第２駆動手段とを備え、前記撮影レンズ保護部材と、前記投影レンズ保護部材とが共に閉じた収納状態と、前記撮影レンズ保護部材が開き、前記投影レンズ保護部材が閉じた第１撮影状態と、前記撮影レンズ保護部材と、前記投影レンズ保護部材とが共に開いた第２撮影状態とを有し、前記収納状態と前記第１撮影状態との遷移状態において、前記駆動部材による前記撮影レンズの光軸方向の移動に連動して前記撮影レンズ保護部材が前記第１駆動手段により開閉され、前記第１撮影状態と前記第２撮影状態との遷移状態において、前記駆動部材による前記撮影レンズの光軸方向の駆動に連動して前記投影レンズ保護部材が前記第２駆動手段により開閉されることを特徴とする。
【発明の効果】
【０００６】
本発明のカメラによれば、撮影レンズバリア機構及びプロジェクタレンズバリア機構の小型化を図ることができ、カメラの小型化を図ることができる。
【発明を実施するための最良の形態】
【０００７】
以下、図面を参照して本発明の第１の実施形態に係るプロジェクタ機能を有するカメラについて説明する。図１は第１の実施形態に係るカメラの外観を示す斜視図である。カメラ２の前面には、沈胴式の撮影鏡筒４と、該撮影鏡筒４が沈胴状態において撮影レンズを保護する撮影レンズバリア（撮影レンズ保護部材）６が設けられている。また、プロジェクタユニットによりプロジェクタレンズ（投影レンズ）を介して投影用光学像を投影するためのプロジェクタ投影窓８と、プロジェクタ投影窓８に配置されプロジェクタレンズを保護するためのプロジェクタレンズバリア（投影レンズ保護部材）１０が設けられている。また、カメラ２の上部には、電源スイッチ１２、レリーズ動作を指示するシャッタボタン１４、カメラ撮影を行う撮影モードとプロジェクタ投影を行うプロジェクタモードとを切り替えるモード切替ボタン１６等が設けられている。
【０００８】
図２は、プロジェクタ機能を有するカメラのカメラボディに設けられている撮影レンズバリア機構及びプロジェクタレンズバリア機構の構成を示す断面図である。撮影レンズ２０が備えられている撮影鏡筒４は、固定筒２２の内側にカム筒２４が配置され、カム筒２４の内側に１群筒２６が配置され、１群筒２６の内側に更に直進筒（直進駆動部材）２８が配置されている。ここで直進筒２８のカメラボディ側の端部には、後述の直進連動部材３２に、直進筒２８の撮影レンズ２０の光軸方向への駆動力を伝達するための突起部２８ａが形成されている。固定筒２２の内壁面にはカム溝が形成されておりカム筒２４の外壁面に形成されたカムがカム溝に係合している。またカム筒２４の内壁面にはカム溝が形成されており１群筒２６の外壁面に形成されたカムがカム溝に係合している。更に直進筒２８はカム筒２４と直進方向にのみ連結されており固定筒２２に直進ガイドされている。
【０００９】
１群筒２６の先端部分には台座２６ａが設けられており、台座２６ａにより撮影レンズ２０を保持すると共に鏡筒バリアリング３０が支持されている。また鏡筒バリアリング３０上には、ボス６ａを介して撮影レンズバリア６が保持されている。
【００１０】
また、プロジェクタユニットのプロジェクタレンズ３６は、台座３８により保持されている。台座３８上にはプロジェクタバリアリング３４が保持されており、プロジェクタバリアリング３４上にはボス１０ａを介してプロジェクタレンズバリア１０が保持されている。また、台座３８のカメラボディの内側には、直進筒２８の撮影レンズ２０の光軸方向への駆動力をプロジェクタバリアリング３４へ伝達するための直進連動部材３２が配置されている。
【００１１】
この第１の実施形態に係るカメラ２においては、電源ＯＦＦ時には、図２に示すように撮影鏡筒４が沈胴状態となり撮影レンズバリア６及びプロジェクタレンズバリア１０が共に閉じた状態となる。ここでカメラ２の電源スイッチ１２を操作し、カメラ２の電源をＯＮすると共に、モード切替ボタン１６を操作し撮影モードを選択した場合には、図示しないモータの駆動力によりカム筒２４を回転させる。これにより図３に示すように、カム筒２４が回転しながら繰出され、１群筒２６及び直進筒２８も撮影レンズ２０の光軸方向に繰出される。この際に直進筒２８の先端部２８ａと鏡筒バリアリング３０のカメラボディに対向した面に形成されているリブ３０ａとが離れた状態になり、鏡筒バリアリング３０が回転して撮影レンズバリア６が開く。一方、直進連動部材３２の先端部３２ｂは、プロジェクタバリアリング３４のカメラボディに対向した面に形成されているリブ３４ａを押した状態であるため、プロジェクタレンズバリア１０は閉じたままである。
【００１２】
カメラ２のモード切替ボタン１６を操作しプロジェクタモードを選択した場合には、図示しないモータの駆動力によりカム筒２４を回転させることによりカム筒２４が回転しながら繰込まれ、１群筒２６及び直進筒２８も撮影レンズ２０の光軸方向に繰込まれて図２に示す電源ＯＦＦ状態になる。この際に直進筒２８の先端部２８ａにより鏡筒バリアリング３０のリブ３０ａが押され、鏡筒バリアリング３０が回転して撮影レンズバリア６が閉じる。このとき直進連動部材３２の先端部３２ｂは、プロジェクタバリアリング３４のリブ３４ａを押した状態であるため、プロジェクタレンズバリア１０は閉じたままである。
【００１３】
プロジェクタモードを選択した場合には、図４に示すように、図２に示す電源ＯＦＦ時よりも更に直進筒２８が繰込まれ、直進筒２８の突起部２８ａにより直進連動部材３２の基底部３２ａをカメラボディの内側方向へ押し込む。これにより直進連動部材３２の先端部３２ｂとプロジェクタバリアリング３４のリブ３４ａとが離れた状態になり、プロジェクタバリアリング３４が回転してプロジェクタレンズバリア１０が開く。
【００１４】
この第１の実施形態に係る撮影レンズバリア機構及びプロジェクタレンズバリア機構によれば、撮影鏡筒の直進筒の撮影レンズの光軸方向への直進駆動力を用いて、撮影レンズバリア及びプロジェクタレンズバリアの開閉を行うことができるため、撮影レンズバリア機構及びプロジェクタレンズバリア機構の小型化を図ることができる。
【００１５】
次に図５〜図７を参照して、本発明の第２の実施形態について説明する。なお、第２の実施形態の説明においては、第１の実施形態のカメラの構成と同一の構成には、第１の実施形態の説明で用いたのと同一の符号を用いて説明する。この第２の実施形態は、第１の実施形態において、撮影レンズバリアが開きプロジェクタレンズバリアが閉じた撮影状態と、撮影レンズバリアとプロジェクタレンズバリアとが共に閉じた収納状態（電源ＯＦＦ状態）と、撮影レンズバリアが閉じプロジェクタレンズバリアが開いた投影状態とを有していたのを、撮影レンズバリアとプロジェクタレンズバリアとが共に閉じた収納状態（電源ＯＦＦ状態）と、撮影レンズバリアが開きプロジェクタレンズバリアが閉じた第１撮影状態と、撮影レンズバリアとプロジェクタレンズバリアとが共に開いた第２撮影状態とを有するように変更したものである。
【００１６】
即ち、図５に示す収納状態（電源ＯＦＦ状態）から、図６に示す第１撮影状態に移行する場合には、第１の実施形態と同様にして、カム筒２４の回転により、カム筒２４、１群筒２６及び直進筒２８が繰り出され、撮影レンズバリア６が開く。この際に直進筒２８に設けられた突起部２８ａは、直進連動部材３２０の基底部３２０ａに接触しておらず、また直進連動部材３２０の先端部３２０ｂは、プロジェクタバリアリング３４のリブ３４ａと接触しておらずプロジェクタレンズバリア１０が閉じている。なお、この第２の実施形態においては、第１の実施形態と異なり、直進連動部材３２０の先端部３２０ｂによりプロジェクタバリアリング３４のリブ３４ａを押すと、プロジェクタバリアリング３４が回転してプロジェクタレンズバリア１０が開くように構成されている。
【００１７】
図６に示す第１撮影状態から図７に示す第２撮影状態に移行する場合には、カム筒２４の回転により、直進筒２８が更に微小距離繰出され、直進筒２８に設けられた突起部２８ａにより直進連動部材３２０の基底部３２０ａが押され、直進連動部材３２０の先端部３２０ｂによりプロジェクタバリアリング３４のリブ３４ａが押される。これによりプロジェクタバリアリング３４が回転してプロジェクタレンズバリア１０が開く。
【００１８】
従って、この第２の実施形態によれば、撮影鏡筒の直進筒の撮影レンズの光軸方向への直進駆動力を用いて、撮影レンズバリア及びプロジェクタレンズバリアの開閉を行うことができるため、撮影レンズバリア機構及びプロジェクタレンズバリア機構の小型化を図ることができる。また撮影を行いながらプロジェクタ投影を行うことができる。
【００１９】
次に図８〜図１０を参照して、本発明の第３の実施形態について説明する。なお、第３の実施形態の説明においては、第１の実施形態のカメラの構成と同一の構成には、第１の実施形態の説明で用いたのと同一の符号を用いて説明する。この第３の実施形態は、第１の実施形態において、直進筒の直進駆動力を用いて撮影レンズバリアとプロジェクタレンズバリアの開閉駆動を行っていたのを、カム筒の回転駆動力を用いて撮影レンズバリアとプロジェクタレンズバリアの開閉駆動を行うようにしたものである。
【００２０】
図８に示すように、鏡筒駆動モータ４０の回転力をカム筒（回転駆動部材）２４に伝達するための第１鏡筒駆動ギア４２、第２鏡筒駆動ギア４４、第３鏡筒駆動ギア４６及び第４鏡筒駆動ギア４８が設けられている。また、第４鏡筒駆動ギア４８の回転力をプロジェクタバリアリング３４に伝達するためのプロジェクタバリア駆動ギア５０が設けられている。図８に示す電源ＯＦＦ状態から撮影状態に移行する場合には、図９に示すように鏡筒駆動モータ４０の回転力を第１鏡筒駆動ギア４２、第２鏡筒駆動ギア４４、第３鏡筒駆動ギア４６及び第４鏡筒駆動ギア４８を介してカム筒２４に伝達し、カム筒２４、１群筒２６及び直進筒３８を繰出すことにより撮影レンズバリア６を開く。
【００２１】
また、撮影状態から投影状態に移行する場合には、図１０に示すように、鏡筒駆動モータ４０の回転力によりカム筒２４を回転させて、カム筒２４、１群筒２６及び直進筒２８を繰込み、撮影レンズバリア６を閉じ、更に鏡筒駆動モータ４０の回転力を第４鏡筒駆動ギア４８及びプロジェクタバリア駆動ギア５０を介してプロジェクタバリアリング３４に伝達して、プロジェクタレンズバリア１０を開く。
【００２２】
この第３の実施形態に係る撮影レンズバリア機構及びプロジェクタレンズバリア機構によれば、撮影鏡筒のカム筒を回転させるための駆動力を用いて、撮影レンズバリア及びプロジェクタレンズバリアの開閉を行うことができるため、撮影レンズバリア機構及びプロジェクタレンズバリア機構の小型化を図ることができる。
【図面の簡単な説明】
【００２３】
【図１】本発明の第１の実施形態に係るカメラの外観斜視図である。
【図２】本発明の第１の実施形態に係る撮影レンズバリア機構及びプロジェクタレンズバリア機構の電源ＯＦＦ時の状態を示す断面図である。
【図３】本発明の第１の実施形態に係る撮影レンズバリア機構及びプロジェクタレンズバリア機構の撮影時の状態を示す断面図である。
【図４】本発明の第１の実施形態に係る撮影レンズバリア機構及びプロジェクタレンズバリア機構のプロジェクタ使用時の状態を示す断面図である。
【図５】本発明の第２の実施形態に係る撮影レンズバリア機構及びプロジェクタレンズバリア機構の電源ＯＦＦ時の状態を示す断面図である。
【図６】本発明の第２の実施形態に係る撮影レンズバリア機構及びプロジェクタレンズバリア機構の第１撮影状態を示す断面図である。
【図７】本発明の第２の実施形態に係る撮影レンズバリア機構及びプロジェクタレンズバリア機構の第２撮影状態を示す断面図である。
【図８】本発明の第３の実施形態に係る撮影レンズバリア機構及びプロジェクタレンズバリア機構の電源ＯＦＦ時の状態を示す断面図である。
【図９】本発明の第３の実施形態に係る撮影レンズバリア機構及びプロジェクタレンズバリア機構の撮影時の状態を示す断面図である。
【図１０】本発明の第３の実施形態に係る撮影レンズバリア機構及びプロジェクタレンズバリア機構のプロジェクタ使用時の状態を示す断面図である。
【符号の説明】
【００２４】
２…カメラ、４…撮影鏡筒、６…撮影レンズバリア、８…プロジェクタ投影窓、１０…プロジェクタレンズバリア、１２…電源スイッチ、１４…シャッタボタン、１６…モード切替ボタン、２０…撮影レンズ、２２…固定筒、２４…カム筒、２６…１群筒、２８…直進筒、３０…鏡筒バリアリング、３２…直進連動部材、３４…プロジェクタバリアリング、３６…プロジェクタレンズ。
【図１】
0005282418.tif 000002
【図２】
0005282418.tif 000003
【図３】
0005282418.tif 000004
【図４】
0005282418.tif 000005
【図５】
0005282418.tif 000006
【図６】
0005282418.tif 000007
【図７】
0005282418.tif 000008
【図８】
0005282418.tif 000009
【図９】
0005282418.tif 000010
【図１０】
0005282418.tif 000011